(57)【要約】【課題】  タイイバーの監視及び救助を簡単な構成でかつ適切に迅速に行う。【解決手段】  ダイバー２に装着された携帯無線端末１とこの携帯無線端末と通信可能な監視用携帯電話機３とを設け、携帯無線端末１は、位置情報を取得して携帯電話機３へ送信し、また水深が所定値を超えた時に無線通信部のＲＦ回路の電源をオフ制御しかつ水深が所定値以内に復帰した時にＲＦ回路の電源をオン制御するよう構成される。そして、携帯電話機３は、携帯無線端末１からの位置情報を表示して記憶し、また携帯無線端末１との通信が途絶えている間タイマを動作させかつタイマが所定値に達した時に予め定められた連絡先へ連絡するよう構成される。これにより、簡単なシステム構成で、電源の浪費を防止しつつダイバーの適切かつ迅速な監視救助が可能となる。【選択図】      図１
2008053871.tif 000002
【特許請求の範囲】
【請求項１】
水中のダイバーを監視する監視システムであって、
ダイバーに装着される携帯無線端末と、前記携帯無線端末と通信可能な監視用携帯電話機とを含み、
前記携帯無線端末は、位置情報を取得して前記携帯電話機へ送信する手段と、前記水深が所定値を超えた時に無線通信部のＲＦ回路の電源をオフ制御し、水深が前記所定値以内に復帰した時に前記ＲＦ回路の電源をオン制御する電源制御手段とを含み、
前記携帯電話機は、前記携帯無線端末からの位置情報を表示して記憶する手段と、前記携帯無線端末との通信が途絶えている間、タイマを動作させる手段と、前記タイマが所定値に達した時に予め定められた連絡先へ連絡する手段とを含むことを特徴とする監視システム。
【請求項２】
前記携帯無線端末は耐水圧性であり、前記携帯電話機は防水性であることを特徴とする請求項１記載の監視システム。
【請求項３】
前記携帯無線端末のスピーカ及びマイクは浸水防止蓋を有していることを特徴とする請求項１または２記載の監視システム。
【請求項４】
前記携帯無線端末はダイバーの腕に装着されることを特徴とする請求項１〜３いずれか記載の監視システム。
【請求項５】
地上または水上における携帯電話機によりダイバーを監視する監視システムにおけるダイバー装着用携帯無線端末であって、
位置情報を取得して前記携帯電話機へ送信する手段と、前記水深が所定値を超えた時に、前記携帯電話機に対する無線通信部のＲＦ回路の電源をオフ制御し、水深が前記所定値以内に復帰した時に前記ＲＦ回路の電源をオン制御する電源制御手段とを含むことを特徴とする携帯無線端末。
【請求項６】
耐水圧性であることを特徴とする請求項５記載の携帯無線端末。
【請求項７】
スピーカ及びマイクは浸水防止蓋を有していることを特徴とする請求項５または６記載の携帯無線端末。
【請求項８】
ダイバーの腕に装着されることを特徴とする請求項５〜７いずれか記載の携帯無線端末。
【請求項９】
水中のダイバーに装着されて位置情報取得機能を有する携帯無線端末との通信が可能なダイバー監視用の携帯電話機であって、
前記携帯無線端末からの前記位置情報を受信して表示して記憶する手段と、前記携帯無線端末との通信が途絶えている間、タイマを動作させる手段と、前記タイマが所定値に達した時に予め定められた連絡先へ連絡する手段とを含むことを特徴とする携帯電話機。
【請求項１０】
前記携帯電話機は防水性であることを特徴とする請求項９記載の携帯電話機。
【発明の詳細な説明】
【技術分野】
【０００１】
本発明はダイバー監視システム及びそれに用いる携帯無線端末並びに携帯電話機に関し、特に水中のダイバーを監視するためのダイバー監視方式に関するものである。
【背景技術】
【０００２】
現代においては、スキューバダイビングなどの水中スポーツも多種多様であり、この様な水中スポーツを行う人も多数となっている。それに伴って、水中に潜ったダイバーに、事故が発生する水難事故も多くみられるようになってきている。そこで、水中のダイバーの事故を未然に防止したり、また万一事故にあっても、迅速かつ適切に救助を行って死亡事故をなくすことが望まれている。
【０００３】
ここで、特許文献１を参照すると、水場における動作者であるダイバーの安全を守るためのライフセービングシステムが提案されている。このシステムによれば、ダイバーに水中携帯装置を持たせておき、海上の複数箇所に、この水中携帯装置と無線通信可能な浮遊体装置を浮遊させつつ設けておき、水中携帯装置からの救助信号を、これら浮遊体装置を経由して、陸上の監視員の監視装置に受信させるようになっている。また、ＧＰＳ機能によるダイバーの位置も、監視装置に表示できるようになっている。
【０００４】
【特許文献１】特開２００４−１４５５７４号公報
【発明の開示】
【発明が解決しようとする課題】
【０００５】
上述した特許文献１の技術においては、ダイバーを監視する海域に、浮遊体装置を複数個配置することが必要であり、また、これら浮遊体装置の他に、監視員のための監視装置も必要となって、システム全体の構成が複雑化してコスト的にも得策ではないという問題がある。また、ダイバーがある一定の水深値を超えて深くもぐれば、通信ができなくなるが、上記の特許文献１の技術では、この様な場合についての対策が何等施されていない。すなわち、ダイバーが水深の深い場所にいた場合には、通信ができないにもかかわらず、水中携帯装置は動作状態にあり、電池を消費しており、無駄な電力浪費となって、致命的な電池切れを招来するという問題がある。
【０００６】
また、ダイバーが万一事故にあって、水深が深い場所に入ってしまった場合には、通信ができないことによって、監視装置には何ら情報が入らず、よって、監視員が全く気付かないという事態も起こり得ることになる。その結果、ダイバーの迅速かつ適確な救助ができず、水中事故防止にはならないという問題もある。
【０００７】
本発明の目的は、システム全体の構成を簡素化してコスト的にも有利なダイバー監視システムを提供することである。本発明の他の目的は、無駄な電力消費を抑制しつつダイバーの迅速かつ適切な救助を可能としたダイバー監視システムを提供することである。
【課題を解決するための手段】
【０００８】
本発明による監視システムは、水中のダイバーを監視する監視システムであって、ダイバーに装着される携帯無線端末と、前記携帯無線端末と通信可能な監視用携帯電話機とを含み、前記携帯無線端末は、位置情報を取得して前記携帯電話機へ送信する手段と、前記水深が所定値を超えた時に無線通信部のＲＦ回路の電源をオフ制御し、水深が前記所定値以内に復帰した時に前記ＲＦ回路の電源をオン制御する電源制御手段とを含み、前記携帯電話機は、前記携帯無線端末からの位置情報を表示して記憶する手段と、前記携帯無線端末との通信が途絶えている間、タイマを動作させる手段と、前記タイマが所定値に達した時に予め定められた連絡先へ連絡する手段とを含むことを特徴とする。
【０００９】
本発明による携帯無線端末は、地上または水上における携帯電話機によりダイバーを監視する監視システムにおけるダイバー装着用携帯無線端末であって、位置情報を取得して前記携帯電話機へ送信する手段と、前記水深が所定値を超えた時に、前記携帯電話機に対する無線通信部のＲＦ回路の電源をオフ制御し、水深が前記所定値以内に復帰した時に前記ＲＦ回路の電源をオン制御する電源制御手段とを含むことを特徴とする。
【００１０】
本発明による携帯電話機は、水中のダイバーに装着されて位置情報取得機能を有する携帯無線端末との通信が可能なダイバー監視用の携帯電話機であって、前記携帯無線端末からの前記位置情報を受信して表示して記憶する手段と、前記携帯無線端末との通信が途絶えている間、タイマを動作させる手段と、前記タイマが所定値に達した時に予め定められた連絡先へ連絡する手段とを含むことを特徴とする。
【００１１】
本発明の作用を述べる。ダイバーに装着された携帯無線端末とこの携帯無線端末と通信可能な監視用携帯電話機とを設け、携帯無線端末は、位置情報を取得して携帯電話機へ送信し、また水深が所定値を超えた時に無線通信部のＲＦ回路の電源をオフ制御しかつ水深が所定値以内に復帰した時にＲＦ回路の電源をオン制御するよう構成される。そして、携帯電話機は、携帯無線端末からの位置情報を表示して記憶し、また携帯無線端末との通信が途絶えている間タイマを動作させかつタイマが所定値に達した時に予め定められた連絡先へ連絡するよう構成される。これにより、簡単なシステム構成で、電源の浪費を防止しつつダイバーの適切かつ迅速な監視救助が可能となる。
【発明の効果】
【００１２】
本発明によれば、携帯電話機を用いるようにしたので、システム構成が簡単化されてコスト的にも有利となるという効果がある。また、本発明によれば、水深に応じてＲＦ系の回路電源をオンオフするようにしたので、致命的な電池切れを防止でき、電池の有効活用が図れるという効果がある。更にはまた、本発明によれば、水深が深いところで、通信が途絶えても、ダイバーの監視をなすことにより、迅速かつ適切な救助が可能になるという効果もある。
【発明を実施するための最良の形態】
【００１３】
以下に、本発明の実施の形態について図面を用いて詳細に説明する。図１は本発明の全体構成を示すシステムブロック図である。図１を参照すると、携帯無線端末１は、ダイバー２の腕にバンドを用いて装着可能な腕時計タイプの携帯電話機であり、耐水圧機能（水深約４０ｍまで対応）並びに水深測定機能（水深計を装備）を有しており、腕に装着したままで、海などの水中にもぐることができるようになっている。
【００１４】
携帯電話機３は、図示せぬ船上や地上に居る監視員用の携帯電話機であり、水がかかってもいいように防水機能とされている。この携帯電話機３は、基地局５を介して、ダイバー２が携帯する携帯無線端末１との通信が可能であり、データの授受の他、音声通話も可能である。携帯無線端末１はＧＰＳ（Global Positioning System ）機能を有しており、ＧＰＳ衛星４との通信により、携帯無線端末１の位置情報を取得できるものとする。
【００１５】
図２は携帯無線端末１の外観を示す図である。図２を参照すると、腕時計タイプの携帯無線端末１の本体には、液晶表示部１１が設けられており、耐水圧構造とされており、またバックライト機能によって情報の表示が可能となっている。この表示部１１の下方には、操作ボタン１３と水深計１２とが設けられており、また、本体の外周部にも操作ボタンが設けられている。操作ボタン１３は耐水圧構造となっており、水中でも操作可能である。なお、通常の携帯電話機における操作に加えて、ＲＦ（高周波）回路の電源のオンオフ切り替えなどを行うボタンが付加されているものとする。
【００１６】
なお、１４はアンテナであり、１７はダイバーの腕に装着するためのバンドである。また、１５ａはスピーカ蓋、１６ａはマイク蓋であり、スピーカやマイク部分からの浸水を防止するために設けられているものである。１８は緊急ボタンであり、このボタンを押下することにより、所定の連絡先へ緊急発信されて、自身の位置情報などを送信することができる。
【００１７】
図３は携帯電話機３の外観を示す図である。図３を参照すると、監視員用の携帯電話機であり、外観は通常の携帯電話機と同じである。３１は液晶表示部、３２は操作ボタン、３３は操作部、３４はアンテナ、３５ａはスピーカ蓋、３６ａはマイク蓋を示している。これら蓋により防水性が確保される。
【００１８】
図４は図２に示した携帯無線端末１の機能ブロック図である。図４において、図２と同等部分は同一符号により示しており、表示部１１、水深計１２、アンテナ１４は図２に示したものと同じである。１５ｂはスピーカ、１６ｂはマイクであり、音声信号処理部２０に接続されている。操作部１９は操作ボタンを含むものである。無線通信部１８は基地局を介して携帯電話機３との情報の授受及び音声通信を可能とするものであり、ＲＦ回路を含む。２１は電源制御部であり、操作ボタンによるＲＦ回路の電源オンオフ制御をなすと共に、水深計１２による水深値が約４０ｍを超えると、ＲＦ系回路の電源をオフとし、水深値が約４０ｍ以内に復帰すると、ＲＦ系回路の電源をオンとするものである。２２はＧＰＳ機能部であり、ＧＰＳ衛星４による現在位置の取得が可能となっている。
【００１９】
制御部（ＣＰＵ）２３は上述した各部を制御するものであり、メモリ２４に予め格納された制御手順（プログラム）に従って動作する。なお、メモリ２４はこのプログラムを格納すると共に、ＣＰＵ２３の作業用メモリとしても機能するものである。
【００２０】
図５は図３に示した携帯電話機３の機能ブロック図である。図５において、図３と同等部分は同一符号により示しており、表示部３１、操作部３３、アンテナ３４は図３に示したものと同じである。３５ｂはスピーカ、３６ｂはマイクであり、音声信号処理部３８に接続されている。無線通信部３７は基地局を介して携帯無線端末１との通信を可能とするものである。タイマ３９はタイマ制御部４０により動作制御されるものである。
【００２１】
制御部（ＣＰＵ）４１は上述した各部を制御するものであり、メモリ４２に予め格納された制御手順（プログラム）に従って動作する。なお、メモリ４２はこのプログラムを格納すると共に、ＣＰＵ４１の作業用メモリとしても機能するものである。
【００２２】
図２に示した携帯無線端末１を、バンド１７を用いてダイバー２が腕に装着して水中に潜った場合、水深計１２により水深が測定されてその測定結果が表示部１１に表示される。水深計１２による測定水深が一定値に達すると、電波が海面上または地上へ届かなくなるために、ＲＦ回路の電源が、電源制御部２１により自動的にオフされると共に、測定水深が一定値以内に復帰すると、ＲＦ回路の電源は自動的にオンとされる。また、操作ボタン１３をダイバーが操作することによっても、ＲＦ回路の電源をオンオフ制御できるようになっており、電池の節約を可能としている。
【００２３】
また、操作ボタン１３を押下することによって、自動的に携帯電話機３に対して発信が可能であり、これに応答して携帯電話機３は監視を開始することができる。緊急ボタンを押下することにより、携帯無線端末１から予め設定されている連絡先へ緊急信号を発信することができるものとする。
【００２４】
携帯無線端末１からの発信を受けた携帯電話機３は、これに応答して、監視動作を開始する。すなわち、携帯無線端末１は、随時、ＧＰＳ機能部２２により得た位置情報を携帯電話機３に送信するので、この位置情報を受信した携帯電話機３は、この位置情報をメモリ４２に随時更新しつつ格納し、携帯無線端末１からの通信が途絶えた場合には、監視用のタイマ３９のカウントを開始する。このタイマ３９のカウント値が予め定められた規定値を超えると（携帯無線端末１からの通信が一定時間なかった場合）、ダイバーが水中で遭難したと判断して、所定の連絡先へ緊急発信を行う。このとき、携帯無線端末１の最終通信時刻と、最終確認したときの位置情報とを発信する。
【００２５】
携帯無線端末１が通話可能な場所に居る場合には、通常の携帯電話機と同様に発着信が可能であることは勿論である。通話をなす場合には、携帯無線端末１のスピーカ蓋１５ａ及びマイク蓋１６ａを開けて通話をなすことになる。
【００２６】
ダイバーがダイビングを終えて水上に出たら、携帯無線端末１の操作ボタンを押下して、「監視終了」信号を携帯電話機に送信することにより、監視終了となる。
【００２７】
図６は本発明の動作を示すフローチャートである。図６を参照すると、先ず、ダイバーが腕に装着している携帯無線端末１の監視ボタンを押下すると（ステップＳ１）、船上または地上の監視員が有する携帯電話機３は監視を開始する（ステップＳ２）。すなわち、携帯無線端末１から携帯電話機３へ自動発信され（ステップＳ３）、携帯電話機３では、携帯無線端末１の位置情報をメモリに保存して監視開始となる（ステップＳ４）。その後、随時、携帯無線端末１からは位置情報が携帯電話機１へ送信されることになるので、携帯電話機３は当該位置情報をメモリに保存する（ステップＳ５）。
【００２８】
この状態において、携帯無線端末１の水深計により、水深が一定値を超えたことが検出されると（ステップＳ６）、通信は不可能となるので、携帯無線端末１では、ＲＦ回路部の電源がオフに制御される（ステップＳ７）。携帯電話機３では、携帯無線端末１からの通信が途絶えると、タイマ３９のカウントが開始される（ステップＳ８）。そして、タイマ３９がカウントアップ（一定時間経過）すると（ステップＳ９でＹｅｓ）、ダイバーが水中で遭難した可能性が高いと判断されるので、予め設定された連絡先へ緊急発信を行うことになる（ステップＳ１０）。このとき、携帯無線端末１の最終通信時刻と、最終確認された位置情報とを発信する。
【００２９】
通信が途絶えて一定時間以内に、再び水深が当該一定値以内に戻ると（ステップＳ９でＮｏ、ステップＳ１１でＹｅｓ）、携帯無線端末１のＲＦ回路部の電源はオンとなり（ステップＳ１２）、通信が再開することになる。従って、携帯電話機３は携帯無線端末１のそのときの位置情報をメモリに保存して監視を再開することになる（ステップＳ１３）。ダイバーが携帯無線端末１の監視ボタンを再び押下すると、監視終了となるのである（ステップＳ１４）。
【００３０】
なお、携帯電話機３においては、タイマ３９の他に、更に別のタイマ（図示せず）を設けておき、図６のステップＳ２における監視スタート時に、このタイマを起動して、ステップＳ１４における監視終了時に、このタイマを停止させるようにし、監視動作期間中、タイムカウントを行うようにすることができる。
【００３１】
なお、上記の携帯無線端末や携帯電話機の動作は、予めその動作手順をプログラムとしてメモリに格納しておき、これをコンピュータ（ＣＰＵ）により読み取らせて実行させるようにすることができることは勿論である。
【図面の簡単な説明】
【００３２】
【図１】本発明の実施の形態のシステムブロック図である。
【図２】本発明の実施の形態のダイバーが装着する携帯無線端末の外観図である。
【図３】本発明の実施の形態の監視員が所持する携帯電話機の外観図である。
【図４】本発明の実施の形態の携帯無線端末のブロック図である。
【図５】本発明の実施の形態の携帯電話機のブロック図である。
【図６】本発明の実施の形態の動作を示すフローチャートである。
【符号の説明】
【００３３】
１  携帯無線端末
２  ダイバー
３  携帯電話機
４  ＧＰＳ衛星
５  基地局
１１，３１  表示部
１２  水深計
１３，３３  操作部
１３，３４  アンテナ
１５ａ，３５ａ  スピーカ蓋
１５ｂ，３５ｂ  スピーカ
１６ａ，３６ａ  マイク蓋
１６ｂ，３６ｂ  マイク
１８，３７  無線通信部
２１  電源制御部
２２  ＧＰＳ機能部
２３，４１  制御部（ＣＰＵ）
２４，４２  メモリ
３３  操作部
３９  タイマ
４０  タイマ制御部
【図１】
2008053871.tif 000003
【図２】
2008053871.tif 000004
【図３】
2008053871.tif 000005
【図４】
2008053871.tif 000006
【図５】
2008053871.tif 000007
【図６】
2008053871.tif 000008